(57)【特許請求の範囲】
【請求項１】
記録媒体を間欠搬送する搬送系と、該記録媒体に対して搬送方向と交差する方向にライン状にプリントを行うプリントヘッドとを備えたプリンタにおいて、前記プリントヘッドの下流側に記録媒体のカールを矯正するカール矯正手段を備え、該カール矯正手段は、所定速度まで加速しつつ記録媒体を搬送する加速搬送、所定速度から停止状態まで減速しつつ記録媒体を搬送する減速搬送の動作が所定時間内になされる搬送状態と、記録媒体の搬送を停止した停止状態とを繰り返して前記搬送系と同期を取るように記録媒体を間欠的に圧着搬送可能に構成された搬送機構を備え、記録媒体のカールの度合いが小さいときに、記録媒体の加速度を大きくすることで、所定速度での搬送時間を長くし、単位時間当たりの記録媒体の搬送量が多く、単位長さの記録媒体に対してカールを矯正する時間が短くなるようにする一方、記録媒体のカールの度合いが大きいときに、記録媒体の加速度を小さくすることで、所定速度での搬送時間を短くし、単位時間当たりでの記録媒体の搬送量が少なく、単位長さの記録媒体に対してカールを矯正する時間が長くなるように構成されていることを特徴とするプリンタ。
【請求項２】
記録媒体を巻回したロールから引き出された記録媒体に対してプリントするように構成され、前記カール矯正手段は、前記搬送状態における加速度を記録媒体の消費量、又はロールの残存量に対応させて変化させるように構成されている請求項１記載のプリンタ。
【請求項３】
前記プリントヘッドとカール矯正手段との間に、記録媒体を所定長さに切断する切断手段を更に備えている請求項１又は２記載のプリンタ。
【請求項４】
前記プリントヘッドとカール矯正手段とが記録媒体の搬送方向に間隔をおいて配設され、該プリントヘッドとカール矯正手段との間に、記録媒体の湾曲を許容した記録媒体バッファ部が設けられている請求項１乃至３の何れか１項に記載のプリンタ。
【発明の詳細な説明】
【技術分野】
【０００１】
本発明は、ペーパー等の記録媒体を間欠搬送する搬送系と、記録媒体に対して搬送方向と交差する方向にライン状にプリントを行うプリントヘッドとを備えたプリンタに関し、特には、ロールから引き出された記録媒体にプリントを施すプリンタに関する。
【背景技術】
【０００２】
従来から、記録媒体に印字や描画等のプリントを施すプリンタとして、記録媒体を搬送する搬送系と、該搬送系で搬送される記録媒体に対してプリントを行うプリントヘッドとを備えたインクジェットプリンタやドットプリンタ等が周知である。
【０００３】
この種のプリンタには、枚葉状の記録媒体に対してプリントするものや、長尺な記録媒体を巻回したロールから記録媒体を引き出し、その引き出した記録媒体にプリントするものがあるが、何れも搬送系が記録媒体を間欠搬送するように構成され、プリントヘッドが記録媒体の搬送方向と直交する方向に移動しつつ該記録媒体に対してライン状のプリントを行うようになっている（例えば、特許文献１参照）。
【特許文献１】特開２００５−０８８３８８号公報
【発明の開示】
【発明が解決しようとする課題】
【０００４】
ところで、上述の如く、ロールから引き出した記録媒体にプリントする場合、該記録媒体には巻回状態での巻癖が付いているため、プリント処理後の記録媒体もカール（湾曲）した状態になり、プリントの品質を低下させるといった問題がある。特に、記録媒体が消費されていくと、ロールの巻き半径に対応した曲率の小さな巻癖の付いた記録媒体に対してプリントが行われるため、プリントの品質の低下が顕著である。すなわち、ロールを用いるとプリント処理後の記録媒体がカールの付いた状態で出力される上に、プリントに使用される領域によってカールの度合いが異なるため、一定の品質でプリント出力できないといった問題があった。
【０００５】
そこで、本発明は、かかる実情に鑑み、記録媒体に付いたカールの度合いに応じて適正な矯正をすることができ、高品質なプリントを出力することのできるプリンタを提供することを課題とする。
【課題を解決するための手段】
【０００６】
本発明に係るプリンタは、記録媒体を間欠搬送する搬送系と、該記録媒体に対して搬送方向と交差する方向にライン状にプリントを行うプリントヘッドとを備えたプリンタにおいて、前記プリントヘッドの下流側に記録媒体のカールを矯正するカール矯正手段を備え、該カール矯正手段は、所定速度まで加速しつつ記録媒体を搬送する加速搬送、所定速度から停止状態まで減速しつつ記録媒体を搬送する減速搬送の動作が所定時間内になされる搬送状態と、記録媒体の搬送を停止した停止状態とを繰り返して前記搬送系と同期を取るように記録媒体を間欠的に圧着搬送可能に構成された搬送機構を備え、記録媒体のカールの度合いが小さいときに、記録媒体の加速度を大きくすることで、所定速度での搬送時間を長くし、単位時間当たりの記録媒体の搬送量が多く、単位長さの記録媒体に対してカールを矯正する時間が短くなるようにする一方、記録媒体のカールの度合いが大きいときに、記録媒体の加速度を小さくすることで、所定速度での搬送時間を短くし、単位時間当たりでの記録媒体の搬送量が少なく、単位長さの記録媒体に対してカールを矯正する時間が長くなるように構成されていることを特徴とする。なお、ここで「搬送系と同期を取る」とは、カール矯正手段（搬送機構）の作動の開始タイミング及び作動の停止タイミングが搬送系と略同じタイミングであることを意味するものである。
【０００７】
上記構成のプリンタによれば、記録媒体のカールを矯正するカール矯正手段を備え、該カール矯正手段は、記録媒体を所定時間搬送する搬送状態と記録媒体の搬送を停止した停止状態とを繰り返して前記搬送系と同期を取るように記録媒体を間欠的に圧着搬送可能に構成された搬送機構を備え、停止状態から所定速度までの搬送状態における加速度を記録媒体のカールの度合いに対応して変化させるように構成されているので、カールの度合い（曲率）に応じた矯正を行うことができる。具体的には、記録媒体を搬送状態で所定時間搬送するに際し、加速度を大きくすると所定速度にまで達する時間が短い上に、その所定時間内において所定速度で搬送する時間が長くなる。これに対し、加速度を小さくすると所定速度にまで達する時間が長くなる上に、その所定時間内において所定速度で搬送する時間が短くなり、単位時間当りの記録媒体の搬送量が少なくなる。その結果、カールの度合いが小さいときに、単位長さの記録媒体に対してカールを矯正する時間が短くなる一方、カールの度合いが大きいときに、単位長さの記録媒体に対してカールを矯正する時間が長くなり、記録媒体のカールに応じた矯正を行うことができる。
【０００８】
また、本発明の一態様として、記録媒体を巻回したロールから引き出された記録媒体に対してプリントするように構成され、前記カール矯正手段は、前記搬送状態における加速度を記録媒体の消費量、又はロールの残存量に対応させて変化させるように構成されることが好ましい。このようにすれば、ロールの残存量が多く（記録媒体の使用量が少なく）、記録媒体に付いたカールの曲率が大きな（カールの度合いが小さい）場合には、該記録媒体に対してカールの矯正作用（曲げや引き伸ばし作用）が短時間作用する一方で、ロールの残存量が少なく（記録媒体の使用量が多く）、記録媒体に付いたカールの曲率が小さい（カールの度合いが大きい）場合には、該記録媒体に対してカールの矯正作用が長時間作用することになり、記録媒体のカールに応じた矯正を行うことができる。
【０００９】
また、本発明の他態様として、前記プリントヘッドとカール矯正手段との間に、記録媒体を所定長さに切断する切断手段を更に備えてもよい。このように切断手段を設けて記録媒体を切断するようにすれば、プリント処理される上流側とカールが矯正される下流側とに記録媒体を分断することができる。これにより、カール矯正手段で搬送される記録媒体と、上流側の搬送系で搬送される記録媒体との間で単位時間（所定時間）当りの搬送量に差が生じたとしても、下流側で搬送される記録媒体が上流側のプリント処理に悪影響を与えてしまうのを防止することができる。
【００１０】
さらに、本発明の別の態様として、前記プリントヘッドとカール矯正手段とが記録媒体の搬送方向に間隔をおいて配設され、該プリントヘッドとカール矯正手段との間に、記録媒体の湾曲を許容した記録媒体バッファ部が設けられていることが好ましい。このようにすれば、記録媒体がカール矯正手段とプリントヘッドとに跨った状態で、プリント中の記録媒体とカール矯正手段によって圧着搬送される記録媒体との間で搬送量の差が生じても、その搬送量の差を記録媒体バッファ部での記録媒体の湾曲で吸収することができ、下流側で搬送される記録媒体が上流側のプリント処理に悪影響を与えてしまうのを防止することができる。
【発明の効果】
【００１１】
以上のように、本発明のプリンタによれば、記録媒体に付いたカールの度合いに応じて適正な矯正をすることができ、高品質なプリントを出力することができるという優れた効果を奏し得る。
【発明を実施するための最良の形態】
【００１２】
以下、本発明の一実施形態に係るプリンタについて、添付図面を参照しつつ説明する。
【００１３】
本実施形態に係るプリンタは、図１及び図２に示す如く、プリント処理の対象となる記録媒体としてのペーパーＰを供給するためのペーパー供給部１と、該ペーパー供給部１から供給されてくるペーパーＰに対してプリント処理を施すプリント処理部２と、プリント処理されたペーパーＰが排出されるペーパー排出部３と、ペーパー供給部１からペーパー排出部３までペーパーＰを搬送（間欠搬送）する主搬送系４とを基本構成として備えている。
【００１４】
本実施形態に係るペーパー供給部１は、枚葉状のペーパー（シートペーパー）Ｐを供給可能に構成されたシートペーパー供給部１０と、長尺なペーパーＰを巻回したロールＲを収容可能に構成されるとともに、該ロールＲから引き出したペーパーＰを供給可能に構成されたロールペーパー供給部１１とを備えている。
【００１５】
前記シートペーパー供給部１０は、積み重ねられた複数枚のシートペーパーＰを載置するペーパートレー１００と、該ペーパートレー１００上のシートペーパーＰを一枚ずつ送り出す送出機構１０１とを備えている。該送出機構１０１は、積み重ねられた複数枚のシートペーパーＰのうち、最上のシートペーパーＰを前記主搬送系４（後述する一次側搬送系４０）が構成する搬送経路上（本実施形態においては後述するターンユニット４００の上流側）に送り出すように構成されている。
【００１６】
他方、ロールペーパー供給部１１は、該プリンタの外装を構成する筐体内に設けられている。該ロールペーパー供給部１１は、ロールＲを軸心回りで回転可能に保持するロールホルダー１１０を設置可能に構成されており、該ロールホルダー１１０に保持されたロールＲからペーパーＰを長手方向に引き出せるようになっている。前記ロールホルダー１１０は、ロールペーパー供給部１１内に設置された駆動源（図示しない）から駆動を受け、保持したロールＲを軸線周りで正転及び逆転させるようになっている。すなわち、該ロールペーパー供給部１１は、ロールＲを正転させて円滑なペーパーＰの供給を可能にし、ロールＲを逆転させてペーパーＰの巻き戻しを可能にしている。
【００１７】
前記プリント処理部２は、前記主搬送系４で構成される搬送経路上で搬送されるペーパーＰに対し、描画や印字を行うためのプリントヘッド２０ａ，２０ｂを備えている。本実施形態に係るプリントヘッド２０ａ，２０ｂには、ペーパーＰに向けて微小なインク滴を吐出するインクジェット方式のものが採用されている。該プリントヘッド２０ａ，２０ｂは、ペーパーＰの搬送方向と交差（直交）方向に往復動可能に設けられている。該プリントヘッド２０ａ，２０ｂは、間欠搬送におけるペーパーＰの停止時に、該ペーパーＰに対して搬送方向と交差する方向に移動しつつペーパーＰに向けてインク滴を吐出するように構成されており、ペーパーＰに対してライン状のプリントを行うようになっている。これにより、該プリンタは、ペーパーＰの間欠搬送とプリントヘッド２０ａ，２０ｂによるライン状のプリントとによって、ペーパーＰに対して面方向に広がるプリントが行えるようになっている。
【００１８】
そして、本実施形態に係るプリンタは、プリント処理能力を高めるべく、前記プリントヘッド２０ａ，２０ｂが二つ設けられている。該二つのプリントヘッド２０ａ，２０ｂは、ペーパーＰの搬送経路上（後述のターンユニット４００と後述の一次側搬送ローラ対４０２との間）にペーパーＰの搬送方向に間隔をおいて並列に設けられており、何れもインク滴を吐出させる吐出面をペーパーＰが搬送される搬送経路に向けて配設されている。
【００１９】
二つのプリントヘッド２０ａ，２０ｂのうち、一方のプリントヘッド（本実施形態においては、ペーパーＰの搬送方向の下流側のプリントヘッド）２０ａには、ペーパーＰの先端を検知するための先端検知センサＳ１が設けられている。そして、該二つのプリントヘッド２０ａ，２０ｂは、先端検知センサＳ１がペーパーＰの先端を検知するまで、ペーパーＰの搬送中心に対応した位置で待機するようになっている。すなわち、ペーパー供給部１から供給されるペーパーＰは、搬送方向と直交する方向の幅に関係なく、何れもその中心と搬送経路の中心とを一致させて搬送されるため、プリントヘッド２０ａを搬送経路の中心と対応した位置で待機させ、ペーパー供給部１から供給される何れのペーパーＰの先端も共通の先端検知センサＳ１で検知できるようにしている。なお、本実施形態において、先端検知センサＳ１は、二つのプリントヘッド２０ａ，２０ｂの間でペーパーＰの先端を検知できるように配置されている。
【００２０】
本実施形態に係るプリンタは、前記先端検知センサＳ１によってペーパーＰの幅も検知するようになっている。すなわち、該プリンタは、先端検知センサＳ１がペーパーＰの搬送方向と直交する方向に往復動するプリントヘッド２０ａに対して設けられているので、プリントヘッド２０ａを移動させつつ先端検知センサＳ１を作動させることで、ペーパーＰの幅方向のエッジを検出し、これを基に、供給されてくるペーパーＰの幅（ロールペーパー供給部１１にセットされたロールＲの幅）を把握するようになっている。そして、該プリンタは、その結果をディスプレイ（図示しない）に表示するようになっており、その表示（検出結果）を基に、オペレータがプリントの出力形態やサイズを設定できるようになっている。
【００２１】
本実施形態に係るプリンタは、プリントされたペーパーＰ（プリント）の裏面に対し、処理を行った画像等の情報、いわゆる、コレクションバリュープリント（ＣＶＰ）を施すためのドットプリント手段５０を備えている。該ドットプリント手段５０は、プリント処理部２の下流側に設けられており、主搬送系４（後述する二次側搬送系４１）が構成する搬送経路上のペーパーＰに対してプリントできるように配置されている。該ドットプリント手段５０は、プリント処理部２と同様、間欠搬送されるペーパーＰが停止状態にあるときに作動し、数字やアルファベット、記号、或いはこれらの組合せ等からなるコレクションバリュープリントを施すようになっている。
【００２２】
前記ペーパー排出部３は、プリント処理部２で処理されたペーパーＰを受け取るための排出トレー３０を備えており、該排出トレー３０上にペーパーＰが順々に排出されるようになっている。
【００２３】
本実施形態に係る主搬送系４は、ペーパー供給部１から供給されるペーパーＰを下流側に間欠搬送する一次側搬送系（搬送系）４０と、該一次側搬送系４０で搬送されてくるペーパーＰを下流側に間欠搬送する二次側搬送系４１とで構成され、これらによって、前記ロールペーパー供給部１１からペーパー排出部３までのペーパーＰの搬送経路を形成している。
【００２４】
本実施形態に係る一次側搬送系４０は、プリント処理部２の下流側（後述する切断手段５の上流側）にまでペーパーＰを搬送するように構成されている。該一次側搬送系４０は、ペーパー供給部１からのペーパーＰ（シートペーパー供給部１０から送り出されたペーパーＰ、ロールペーパー供給部１１のロールＲから引き出したペーパーＰ）の搬送方向を切り換えるターンユニット４００と、ロールペーパー供給部１１（ロールＲ）とターンユニット４００との間に設けられ、ロールＲから引き出されたペーパーＰをターンユニット４００に導くガイドローラ４０１と、ターンユニット４００で搬送方向の切り換えられたペーパーＰを下流側（二次側搬送系４１）に向けて圧着搬送する一次側搬送ローラ対４０２と、ターンユニット４００と一次側搬送ローラ対４０２との間に配設され、搬送されるペーパーＰの一方の面（下面）を案内するガイド板（採番しない）とを備えている。
【００２５】
前記ターンユニット４００は、ペーパーＰが巻き掛けられるメインローラ４００ａと、該メインローラ４００ａの外周回りに設けられた二本のサブローラ４００ｂ，４００ｂとで構成されている。該ターンユニット４００は、サブローラ４００ｂ，４００ｂがメインローラ４００ａに圧接するように設けられるとともに、メインローラ４００ａがサーボモータＭｓの駆動を受けて回転駆動するように構成されている。これにより、該ターンユニット４００は、ペーパーＰがメインローラ４００ａに巻き掛けらた状態で該メインローラ４００ａとサブローラ４００ｂ，４００ｂとに圧着される結果、該ペーパーＰを圧着搬送しつつ搬送方向を切り換えることができるように構成されている。なお、本実施形態に係るターンユニット４００は、下方側から供給されてくるペーパーＰの搬送方向を略水平方向に変更するように構成されている。
【００２６】
前記ガイドローラ４０１は、回転自在なフリーローラであり、ロールＲから引き出されたペーパーＰが巻き掛けられる結果、該ペーパーＰをターンユニット４００（メインローラ４００ａと上流側のサブローラ４００ｂとの間）に導けるように配置されている。本実施形態においては、ペーパーＰの引き出し方向に湾曲した案内板（採番しない）がガイドローラ４０１の外周面（一部）に対向するように設けられており、ペーパーＰが案内板に案内されることでガイドローラ４０１に対する該ペーパーＰの巻き掛けを円滑に行えるようになっている。
【００２７】
前記一次側搬送ローラ対４０２は、一方の搬送ローラ４０２ａに対して他方の搬送ローラ４０２ｂが圧接するように設けられており、一方の搬送ローラ４０２ａに対して駆動源Ｍｓからの駆動が伝達されるようになっている。本実施形態において、前記メインローラ４００ａを駆動するサーボモータＭｓから駆動を受けるように構成され、ターンユニット４００と該一次側搬送ローラ対４０２とが機械的に同期を取って回転駆動し、ペーパーＰを下流側に搬送できるようになっている。
【００２８】
前記ガイド板は、二つのプリントヘッド２０ａ，２０ｂと対向するように設けられており、該プリントヘッド２０ａ，２０ｂの吐出面とペーパーＰとの距離を略一定に保ってペーパーＰを案内するように設けられている。
【００２９】
上記構成の一次側搬送系４０は、ターンユニット４００及び一次側搬送ローラ対４０２によって、ペーパーＰを長手方向に所定時間搬送する搬送状態とペーパーＰの搬送を停止した停止状態とを繰り返してペーパーＰを間欠搬送するように構成されている。該一次側搬送系４０は、ペーパーＰを搬送する搬送状態において、停止状態（搬送速度０）から所定速度まで一定の加速度で加速（スローアップ）し、所定速度から停止状態（搬送速度０）まで一定の減速度で減速（スローダウン）するようになっている。
【００３０】
前記二次側搬送系４１は、ペーパーＰの搬送方向に間隔をおいて配設された複数組（図においては三組）の二次側搬送ローラ対４１０，６０ａ，６０ｂで構成されており、プリント処理部２から送り出されるペーパーＰをペーパー排出部３まで圧着搬送するようになっている。各二次側搬送ローラ対４１０，６０ａ，６０ｂは、一方の搬送ローラ４１１ａ，６５ａ，６６ａに対して他方の搬送ローラ４１１ｂ，６５ｂ，６６ｂが圧接するように設けられており、何れか一方の搬送ローラ（本実施形態においては、搬送経路の下側にある一方の搬送ローラ４１１ａ，６５ａ，６６ａ）に対して駆動源Ｍｐ１，Ｍｐ２からの駆動が伝達されるようになっている。
【００３１】
本実施形態に係るプリンタは、ロールＲから引き出した長尺なペーパーＰに対してプリントを行うように構成されているため、上記構成に加え、ペーパーＰを所定のサイズに切断するための切断手段５と、ロールＲから引き出されたペーパーＰのカールを矯正するためのカール矯正手段６とを更に備えている。
【００３２】
前記切断手段５は、プリント処理部２の下流側（一次側搬送系４０と二次側搬送系４１との間）に設けられている。該切断手段５は、搬送経路を挟んで設けられた一対の切断刃（採番しない）を備えており、これらが互いに接離することで長尺なペーパーＰを枚葉状に切断できるように構成されている。なお、切断手段５としては、ペーパーＰの搬送方向と直交する方向に移動可能な切断刃を備え、該切断刃の移動でペーパーＰを切断するようにしたものであってもよい。
【００３３】
前記カール矯正手段６は、プリント処理部２の下流側（本実施形態においては、ドットプリント手段５０の下流側で且つペーパー排出部３の直上流側）に設けられている。該カール矯正手段６は、ペーパーＰを所定時間搬送する搬送状態とペーパーＰの搬送を停止した停止状態とを繰り返して前記一次側搬送系４０と同期を取るようにペーパーＰを間欠的に圧着搬送可能に構成された搬送機構６０ａ，６０ｂを備えている。具体的には、該カール矯正手段６は、ペーパーＰの搬送方向に間隔をおいて設けられた搬送機構としての二組の矯正用搬送ローラ対６０ａ，６０ｂと、該矯正用搬送ローラ対６０ａ，６０ｂ間に配設されたデカールローラ６０ｃとを備えている。
【００３４】
前記二組の矯正用搬送ローラ対６０ａ，６０ｂのうち、ペーパーＰの搬送方向の上流側にある矯正用搬送ローラ対６０ａは、それよりも上流側の主搬送系４（一次側搬送系４０の一次側搬送ローラ対４０２及び二次側搬送系４１の上流側の二次側搬送ローラ対４１０）とともに、直線状の搬送経路（図においては水平方向の搬送経路）上に配置されている。その一方で、下流側にある矯正用搬送ローラ対６０ｂは、搬送ローラ６６ａ，６６ｂの互いの軸線を結ぶ仮想線（図示しない）が上流側の矯正用搬送ローラ対６０ａにおける搬送ローラ６５ａ，６５ｂの互いの軸線を結ぶ仮想線（図示しない）と略平行をなし、且つ、該互いに圧接してペーパーＰを圧着する部位が、上流側の搬送経路に対して前記仮想線上で一方側（本実施形態においては下方側）に変位するように配置されている。
【００３５】
各矯正用搬送ローラ対６０ａ，６０ｂは、ペーパーＰを長手方向に所定時間搬送する搬送状態とペーパーＰの搬送を停止した停止状態とを繰り返してペーパーＰを間欠的に圧着搬送可能に構成されている。すなわち、本実施形態に係る矯正用搬送ローラ対６０ａ，６０ｂ（搬送機構）は、該矯正用搬送ローラ対６０ａ，６０ｂの上流側にある二次側搬送ローラ対４１０とともに二次側搬送系４１を構成する二次側搬送ローラ対としても機能する。二組の矯正用搬送ローラ対６０ａ，６０ｂは、それぞれ別個独立した駆動源Ｍｐ１，Ｍｐ２で駆動されるように構成されている。そして、各矯正用搬送ローラ対６０ａ，６０ｂを互いに同期を取って作動させるべく、各駆動源Ｍｐ１，Ｍｐ２には、何れもパルスモータが採用されている。
【００３６】
一方（上流側）の矯正用ローラ対６０ａは、その一方の搬送ローラ６５ａと、上流側の二次側搬送ローラ対４１０の一方の搬送ローラ４１１ａとに掛け渡された無端ベルト、或いはチェーンＢを介してパルスモータＭｐ１の駆動が伝達されるようになっている。他方（下流側）の矯正用搬送ローラ対６０ｂは、ギアＧを介してパルスモータＭｐ２の駆動が一方のローラ６６ａに伝達されるようになっている。これにより、二次側搬送系４１の他（上流側）の二次側搬送ローラ対４１０と一方の矯正用搬送ローラ対６０ａとが機械的に同期を取るとともに、これらと他方の矯正用搬送ローラ対６０ｂとが電気的に同期を取るように構成されている。すなわち、二次側搬送系４１を構成する各搬送ローラ対４１０，６０ａ，６０ｂは、電気的及び機械的に同期をとって作動するようになっている。
【００３７】
前記デカールローラ６０ｃは、回転自在なフリーローラで構成され、二組の矯正用搬送ローラ対６０ａ，６０ｂ間に設けられている。該デカールローラ６０ｃは、矯正用搬送ローラ対６０ａ，６０ｂ間に跨るペーパーＰが巻き掛けられる結果、該ペーパーＰをカールとは反対側に湾曲させるような配置に設定されている。本実施形態においては、上述の如く、下流側の矯正用搬送ローラ対６０ｂが、上流側の矯正用搬送ローラ対６０ａに対して下方側に変位して設けられているので、上流側の矯正用搬送ローラ対６０ａを通過したペーパーＰを、デカールローラ６０ｃを介して下流側の矯正用搬送ローラ対６０ｂに導くためのガイド手段６１が設けられている。
【００３８】
該ガイド手段６１は、上流側の矯正用搬送ローラ対６０ａの他方の搬送ローラ（図において上側の搬送ローラ）６５ｂから、デカールローラ６０ｃの上流側にかけて設けられた第一ガイド板６１ａと、上流側の矯正用搬送ローラ対６０ａの一方の搬送ローラ（図において下側の搬送ローラ）６５ａから、デカールローラ６０ｃを介して下流側の矯正用搬送ローラ対６０ｂの上流側（図において下側の搬送ローラ６６ａ）にかけて設けられた第二ガイド板６１ｂとで構成されている。
【００３９】
前記第一ガイド板６１ａは、上流から搬送されてくるペーパーＰの先端を案内し、該ペーパーＰを下方側に位置するデカールローラ６０ｃの外周面上に導くための案内面（採番しない）が形成されている。他方、第二ガイド板６１ｂは、第一ガイド板６１ａに案内（方向変換）されたペーパーＰがデカールローラ６０ｃの外周回りに巻き掛けられるように案内し、且つその案内（方向変換）された先端部が下流側の矯正用搬送ローラ対６０ｂの搬送ローラ６６ａ，６６ｂ間に導かれるように案内する案内面（採番しない）を備えている。
【００４０】
上記構成のカール矯正手段６は、二組の矯正用搬送ローラ対６０ａ，６０ｂ（本実施形態においては、二次側搬送系４１全体）が、ペーパーＰを長手方向に所定時間搬送する搬送状態とペーパーＰの搬送を停止した停止状態とを繰り返して一次側搬送系４０と同期を取るようにペーパーＰを間欠搬送するように構成されている。なお、「一次側搬送系４０と同期を取る」とは、矯正用搬送ローラ対６０ａ，６０ｂ（パルスモータＭｐ１，Ｍｐ２）の作動の開始タイミング及び作動の停止タイミングが、一次側搬送系４０（サーボモータＭｓ）の作動の開始タイミング及び作動の停止タイミングと略同じタイミングで、一次側搬送系４０の搬送状態及び停止状態とカール矯正手段６の搬送状態及び停止状態とが同じ時間（所定時間）であることを意味するものである。また、該二組の矯正用搬送ローラ対６０ａ，６０ｂは、上流側のロールペーパー供給部１１内のロールＲの残存量（ペーパーＰの消費量）を基に、ペーパーＰのカールの状態に対応して停止状態（搬送速度０）から所定速度までの搬送状態における加速度を小さくするように制御されている。
【００４１】
具体的に説明すると、本実施形態に係るカール矯正手段６は、図３に示す如く、所定速度Ｖｓｅｔまで加速しつつペーパーＰを搬送する加速搬送Ａ１、所定速度Ｖｓｅｔを維持しつつペーパーＰを搬送する定速搬送Ａ２、所定速度Ｖｓｅｔから停止状態（搬送速度０）まで減速しつつペーパーＰを搬送する減速搬送Ａ３の一連の動作が所定時間Ｔ内に連続的になされる搬送状態Ａと、ペーパーＰの搬送が所定時間停止される停止状態とを交互に繰り返すことでペーパーＰを間欠搬送するようになっている。そして、ロール状に巻回されたペーパーＰは巻心に近いほど巻き半径が小さくなるため、引き出したペーパーＰは巻芯側ほどカールが強くつく（巻癖の曲率（半径）が小くなる）傾向にあることに鑑み、ロールＲの残存量（ペーパーＰの消費量）を基に搬送中のペーパーＰのカールの状況を把握し、そのカールの状態に合わせて搬送状態Ａ（加速搬送Ａ１）時の加速度（搬送速度０から所定速度までスローアップする際の加速度）を小さくするように構成されている。
【００４２】
すなわち、所定時間Ｔ中に加速搬送Ａ１、定速搬送Ａ２、減速搬送Ａ３を行うことを前提に、初期の段階の加速時間Ｔ１よりもペーパーＰを所定量消費した状態での加速時間Ｔ２が長く、さらにペーパーＰを消費した状態での加速時間Ｔ３…がさらに長くなるように、カールの状況に合わせて加速時間（Ｔ１…）を長くし、時間（Ｘ軸）と速度（Ｙ軸）とから得られる加速度を示す線の傾き（勾配）を小さくするようにしている。これにより、カールの曲率が小さくなるにつれて、カール矯正手段６（二組の矯正用搬送ローラ対６０ａ，６０ｂ間）での単位時間当たりでのペーパーＰの搬送量が少なくなる結果、ペーパーＰの単位長さあたりに対するデカールローラ６０ｃとの接触時間を長くしてカールの大きさに応じた曲げ作用及び引き伸ばし作用をペーパーＰに付与するようにしている。
【００４３】
上述の搬送状態Ａ（加速搬送Ａ１時）における加速度（矯正搬送ローラ対６０ａ，６０ｂに対する加速度）の変更は、ペーパーＰの消費に伴って徐々に小さくするようにしてもよいが、本実施形態においては、ペーパーＰが所定量消費される毎に、加速度を所定量小さくするようにしている。
【００４４】
ここで、加速搬送Ａ１時における加速度の設定について具体的に説明すると、該プリンタは、ペーパーＰのカールとロールＲの巻き径（ロールＲの残存量）との関係が予め設定され、該ロールＲの残存量（カールの状態）とそれに対応する加速度との関係がテーブル化されている。本実施形態においては、カールの状態を所定範囲（所定の曲率範囲）毎に設定し、各範囲に対応するロールＲの残存範囲毎に最適な加速度を関連づけたテーブルが設定されている。該テーブルは、該プリンタの動作を制御する制御手段（図示しない）内の記憶手段（図示しない）に記憶されている。
【００４５】
そして、実際のロールＲの巻き径（ロールＲ（ペーパーＰ）の残存量）は、初期のロールＲの外径（ロールＲにされたペーパーＰの全長）から、ペーパーＰの消費に伴う外径の減少分（ペーパーＰの全消費量となる累積搬送量）を差し引くことで把握するようにしている。なお、ペーパーＰの累積搬送量は、出力したプリントのサイズから求めることもできるが、本実施形態においては、主搬送系４を構成する搬送ローラの何れかにエンコーダを取り付け、そのエンコーダから得られるパルスを基にして累積搬送量を算出するようにしている。
【００４６】
これにより、前記制御手段が実際のロールＲの巻き径（ロールＲの残存量）とテーブル内のデータと比較することで、カールの度合いに対応した適正な加速度が抽出され、その加速度でカール矯正手段６（矯正用ローラ対６０ａ，６０ｂ）が駆動される。本実施形態においては、二組の矯正用搬送ローラ対６０ａ，６０ｂのそれぞれがパルスモータＭｐ１，Ｍｐ２によって駆動されているため、パルスモータＭｐ１，Ｍｐ２に入力されるパルスの周波数を調整することで、加速搬送Ａ１における加速度を抽出された加速度に調整するようにしている。
【００４７】
図１及び図２に戻り、本実施形態に係るプリンタは、上述の如く、カール矯正手段６（矯正用搬送ローラ対６０ａ，６０ｂ）をペーパーＰのカールの状態に対応させて搬送状態Ａにおける加速度を変更するようにしているため、一次側搬送系４０と二次側搬送系４１（カール矯正手段６）との間で、単位時間当たりのペーパーＰの搬送量に差が出ることを鑑み、カール矯正手段６をプリント処理部２に対して所定間隔をおいて配置し、プリント処理部２（下流側のプリントヘッド２０ａ）と該カール矯正手段６との間にペーパーＰの搬送量の差を吸収するためのペーパーバッファ部（記録媒体バッファ部）４５を設けている。
【００４８】
該ペーパーバッファ部４５は、ペーパーＰの少なくとも一方の面側を拘束しない、すなわち、ペーパＰの湾曲を許容するようにしており、前記切断手段５によって切断されることなくペーパーＰがカール矯正手段６とプリント処理部２とに跨って搬送されるような場合に、一次側と二次側との間で生じる搬送量の差をペーパーＰの湾曲によって吸収させるようにしている。なお、本実施形態においては、前記切断手段５及びドットプリント手段５０をカール矯正手段５とプリント手段２（プリントヘッド２０ａ）との間に設けるようにしたため、ペーパーバッファ部４５は、切断手段５とドットプリント手段５０（二次側搬送系４１の最上流の搬送ローラ対４１０）との間に設けるようにしている。
【００４９】
本実施形態に係るプリンタは、以上の構成からなり、次に、該プリンタの作動について説明する。
【００５０】
まず、シートペーパー供給部１０からシートペーパーＰを供給する場合について説明する。オペレータがシートペーパーＰを供給する旨を指示すると、該プリンタは、送出機構１０１、一次主搬送系４、及び二次主搬送系４が駆動し、ペーパートレー１００上のシートペーパーＰが送出機構１０１によって一枚ずつ一次側搬送系４０で構成した搬送経路上に送り出される。そうすると、ターンユニット４００を介して該シートペーパーＰが下流側に搬送され、そのシートペーパーＰの先端が先端検知センサＳ１によって検知される。
【００５１】
そして、その検知センサの検知が起因して、プリントヘッド２０ａ，２０ｂがペーパーＰの搬送方向と直交する方向に往復動し、前記先端検知センサＳ１が該シートペーパーＰの幅を検知する。そうすると、そのシートペーパーＰのサイズが認識され、予め受け付けた画像データを基に、プリントヘッド２０ａ，２０ｂがシートペーパーＰに対してプリントを行う。この際においても、一次側搬送系４０はシートペーパーＰを間欠搬送し、その間欠搬送における停止状態で各プリントヘッド２０ａ，２０ｂがペーパーＰにライン状のプリントを施すことになる。そして、間欠搬送とプリントヘッド２０ａ，２０ｂの往復動との連携によって該シートペーパーＰに対するプリントが行われる。
【００５２】
そして、プリンタは、上述の如く、オペレータの指示によってシートペーパー供給部１０からのシートペーパーＰの供給であることを認識しているため、プリント処理されたシートペーパーＰは、切断手段５で切断されることなく、その切断位置を通過して下流側に搬送されることになる。
【００５３】
そして、二次側搬送系４１に至ったペーパーＰは、さらに下流側に間欠搬送され、ドットプリント手段５０でコレクションバリュープリントが施される。そして、該シートペーパーＰは、さらに下流側に搬送されてカール矯正手段６に送り込まれ、カール矯正手段６によって下流側に間欠搬送される。この場合、シートペーパーＰには巻癖が付いていないため、カール矯正手段６（二組の矯正用搬送ローラ対６０ａ，６０ｂ）は、搬送状態Ａの加速搬送Ａ１）において最大の加速度で所定速度Ｖｓｅｔにまで加速し、搬送状態Ａでの単位時間当たりの搬送量が最大となるようにシートペーパーＰを搬送する。すなわち、カール矯正手段６は、ペーパーＰの搬送状態Ａで加速度を最大にすることで、所定時間Ｔ内でのペーパーＰの移動量が多くしてシートペーパーＰとデカールローラ６０ｃとの接触時間を短くし、カールのついていないシートペーパーＰに余分な曲げ癖が付くのを防止している。
【００５４】
そして、カール矯正手段６を通過したシートペーパーＰは、ペーパー排出部３（排出トレー３０上）に排出され、当該シートペーパーＰに対するプリントが完了する。
【００５５】
他方、ロールペーパー供給部１１からペーパーＰを供給する場合、オペレータがロールペーパーＰを供給する旨を指示すると、該プリンタは、ロールホルダー１１０、一次主搬送系４、及び二次主搬送系４が駆動する。そうすると、ロールＲから引き出されたペーパーＰは、ガイドローラ４０１及びターンユニット４００を介してペーパーＰが下流側に搬送され、そのペーパーＰの先端が先端検知センサＳ１によって検知される。
【００５６】
そして、その検知に起因してプリントヘッド２０ａ，２０ｂがペーパーＰの搬送方向と直交する方向に往復動し、前記先端検知センサＳ１が該ペーパーＰの幅を検知し、そのペーパーＰ（セットされたロールＲ）のサイズが認識される。そして、予め受け付けた画像データを基に、プリントヘッド２０ａ，２０ｂがペーパーＰに対してプリントを行う。この際、一次側搬送系４０はペーパーＰを間欠搬送し、その間欠搬送における停止状態で各プリントヘッド２０ａ，２０ｂがペーパーＰにライン状のプリントを施すことになる。そして、ペーパーＰの間欠搬送とプリントヘッド２０ａ，２０ｂの往復動との連携によって該ペーパーＰに対するプリントが行われる。
【００５７】
そして、プリンタは、上述の如く、オペレータの指示によってロールペーパー供給部１１からのペーパーＰの供給であることを認識しているため、プリント処理部２を経て切断手段５にまで搬送されてきたペーパーＰは、切断手段５の切断位置から所定長さ通過した時点で切断手段５によって切断され、枚葉状のペーパーＰになる。この際、該ペーパーＰの先端部は、少なくとも二次側搬送系４１の最上流にある二次側搬送ローラ対４１０に圧着された状態になっている。そして、枚葉状にされたペーパーＰは、二次側搬送系４１によって間欠搬送され、ドットプリント手段５０でコレクションバリュープリントが施される。
【００５８】
コレクションバリュープリントが施されたペーパーＰは、さらに下流側に搬送されてカール矯正手段６に送り込まれるが、当該プリンタは、ロールＲから引き出されたペーパーＰであることが認識されているため、二次側搬送系４１を構成する各搬送ローラ対（上流側の二次側搬送ローラ対４１０、及び各矯正用搬送ローラ対６０ａ，６０ｂ）は、間欠搬送での所定時間Ｔの搬送状態（加速搬送Ａ１）において、停止状態（搬送速度０）から所定速度Ｖｓｅｔまでの加速度をロールＲの残存量（ペーパーＰの消費量）に対応した加速度で加速搬送Ａ１した上で、定速搬送Ａ２、減速搬送Ａ３を行う。これにより、ロールＲから引き出されたペーパーＰの全長に亘って同じ条件でカールの矯正を行わずに、カール状態に応じた矯正が行われるため、カールの曲率半径の大きなペーパーＰに過度の曲げを作用させて曲げ癖を付けてしまったり、カールの曲率半径の小さなペーパーＰに過小な曲げを作用させてカールが矯正されなかったりすることが防止される。
【００５９】
そして、搬送状態Ａと停止状態とを繰り返し行うことで、切断されたペーパーＰの長手方向の全長に亘ってカールが矯正され、カール矯正手段６を通過したペーパーＰは、シートペーパーＰと同様に、ペーパー排出部３に排出されることになる。
【００６０】
本実施形態に係るプリンタは、上述の如く、プリント処理部２（一次搬送系４０）とカール矯正手段６（二次主搬送系４１）とに跨るような長尺なプリントもできるようになっているが、この場合においても、二次側搬送系４１を構成する各搬送ローラ対（上流側の二次側搬送ローラ対４１０，６０ａ，６０ｂ、及び各矯正用搬送ローラ対６０ａ，６０ｂ）は、間欠搬送での所定時間Ｔの搬送状態（加速搬送Ａ１）において、停止状態（搬送速度０）から所定速度Ｖｓｅｔまでの加速度をロールＲの残存量（ペーパーＰの消費量）に対応した加速度で加速搬送Ａ１した上で、定速搬送Ａ２、減速搬送Ａ３を行う。これにより、ロールＲから引き出されたペーパーＰの全長に亘って同じ条件でカールが矯正されることがなく、その引き出されたペーパーＰのカール状態に応じた処理を行うため、カールの曲率半径の大きなペーパーＰに過度の曲げを作用させて曲げ癖を付けてしまったり、カールの曲率半径の小さなペーパーＰに過小な曲げを作用させてカールが矯正されなかったりすることが防止される。
【００６１】
この場合、二次側搬送系４１によるペーパーＰの搬送量と一次側搬送系４０によるペーパーＰの搬送量とに差が生じることになるが、ペーパーバッファ部４５（切断手段５と最上流の二次側搬送ローラ対４１０との間の間隔）がペーパーＰが湾曲するのを許容するため、搬送量の差がペーパーＰ自体の湾曲によって吸収され、上流側でのプリント処理に影響を及ぼすことが防止される。そして、ペーパーＰの先端側が二次側搬送系４１（カール矯正手段６を含む）で搬送された結果、該ペーパーＰの先端から切断手段５の切断位置までが予め設定した長さになると、切断手段５によってペーパーＰが切断されることになる。そして、切断された下流側のペーパーＰは引き続き間欠搬送されつつカール矯正手段６でカールが矯正された後、ペーパー排出部３の排出トレー３０上に排出されることになる。なお、該プリンタは、ガイドローラ４０１とロールペーパー供給部１１との間にペーパーＰの後端を検知する後端検知センサＳｅが設けられており、上述の如くロールＲからのペーパーＰにプリントを繰り返し行った結果、ペーパーＰの後端が後端検知センサＳｅに検知されるとロールＲ（ペーパーＰ）が消費されたとしてその旨を告知し、オペレータにロールＲの交換が促される。
【００６２】
そして、本実施形態においては、上述の如く、シートペーパーＰに対するプリントを可能としているので、ロールＲからペーパーＰを供給していた状態から供給するペーパーＰをシートペーパーＰに切り替える場合には、オペレータからの指示により、搬送経路上にあるペーパーＰの先端が、シートペーパー供給部１０との合流位置よりも上流側に位置するようにペーパーＰがロールＲに巻き戻され、シートペーパー供給部１０からのシートペーパーＰの供給経路が確保される。
【００６３】
以上のように、本実施形態のプリンタは、ペーパーＰのカールを矯正するカール矯正手段６を備え、該カール矯正手段６は、ペーパーＰの搬送方向に間隔をおいて設けられ、ペーパーＰを長手方向に所定時間搬送する搬送状態ＡとペーパーＰの搬送を停止した停止状態とを繰り返して一次側搬送系４０と同期をとるようにペーパーＰを間欠的に圧着搬送可能に構成された二組の矯正用搬送ローラ対６０ａ，６０ｂ（二次側搬送ローラ対６０ａ，６０ｂ）と、該二組の矯正用搬送ローラ対６０ａ，６０ｂ間に配設され、矯正用搬送ローラ対６０ａ，６０ｂ間のペーパーＰをカールとは反対側に湾曲させるデカールローラ６０ｃとを備えているので、ペーパーＰに対してカールとは反対側の曲げ作用を与えることでペーパーＰのカールを矯正することができる。
【００６４】
そして、該カール矯正手段６は、停止状態から所定速度Ｖｓｅｔまでの搬送状態Ａにおける加速度がペーパーＰの消費量、又はロールＲの残存量に対応して小さくなるように構成されているので、カールの曲率に応じた矯正を行うことができる。また、切断手段５を設けてペーパーＰを切断するようにしているので、ペーパーＰをカールの矯正される下流側と、プリント処理される上流側とに分断することができる。これにより、カール矯正手段６での搬送と、上流側での主搬送系４（一次側搬送系４０）によるペーパーＰの搬送との間で、単位時間当りの搬送量の差が生じたとしても、下流側で搬送されるペーパーＰが上流側でのプリント処理に悪影響を与えてしまうのを防止することができる。
【００６５】
さらに、プリントヘッド２０ａとカール矯正手段６とがペーパーＰの搬送方向に間隔をおいて配設し、該プリントヘッド２０ａとカール矯正手段６との間に、ペーパーＰの湾曲を許容したペーパーバッファ部４５を設けたので、プリント中のペーパーＰとプリントヘッド２０ａよりも下流側で搬送されるペーパーＰとの搬送量の差をペーパーＰの湾曲で吸収することができ、上流側でのプリント処理に悪影響を与えてしまうのを防止することができる。
【００６６】
従って、本実施形態に係るプリンタは、ロールＲから引き出したペーパーＰに対してプリントを行っても、ペーパーＰの略全長に亘って（ペーパーＰの何れの領域に対しても）カールの度合いに応じて適正な矯正をすることができ、高品質なプリントを提供することができるという優れた効果を奏し得る。
【００６７】
尚、本発明のプリンタは、上記実施形態に限定されるものではなく、本発明の要旨を逸脱しない範囲内において種々変更を加え得ることは勿論である。
【００６８】
上記実施形態において、カールの状態を所定範囲（所定の曲率範囲）毎に設定し、各範囲に対応するロールＲの残存範囲毎に最適な加速度を関連づけたテーブルから、カール矯正手段６による搬送状態Ａでの加速度を抽出するようにしたが、例えば、加速搬送Ａ１の加速度をペーパーＰの消費に連携させて連続的に小さくするようにしてもよい。このようにしても、カールに応じた矯正を行うことができ、上記実施形態と同様の作用、効果を奏することができる。
【００６９】
上記実施形態において、プリントヘッド２０ａ，２０ｂを二つ設けるようにしたが、これに限定されるものではなく、プリントヘッドは少なくとも一つ備えていればよい。また、プリントヘッド２０ａ，２０ｂは、インクジェットヘッドに限定されるものではなく、例えば、ペーパーＰに対してドットプリントを行うものや、インクリボンのインクをペーパーＰに転写させる転写ヘッド等であってもよい。すなわち、ペーパーＰが間欠搬送され、そのペーパーＰの停止時にペーパーＰの搬送方向と交差方向に移動しつつプリントを行うプリントヘッドであればよい。
【００７０】
上記実施形態において、プリント処理部２とカール矯正手段６との間に切断手段５を設けたり、ドットプリント手段５０を設けたりしたが、これに限定されるものではなく、切断手段５やドットプリント手段５０は、必要に応じて設けるようにすればよい。但し、カール矯正手段６と一次側搬送系４０との単位時間当たりの搬送量の差が生じるため、上記実施形態と同様に切断手段５を設けてペーパーＰを上流側と下流側とに分断するようにすることが好ましい。
【００７１】
上記実施形態において、主搬送系４を一次側搬送系４０と二次側搬送系４１とで構成し、一次側搬送系４０については搬送状態での加速度を一定で維持させるようにしたが、これに限定されるものではなく、例えば、一次搬送系４０についても、二次側搬送系４１（カール矯正手段６）によるペーパーＰの搬送の状態に連動させ、カールの状況に応じて加速度を小さくするように構成してもよい。
【００７２】
上記実施形態において、ペーパー供給部１をシートペーパー供給部１０とロールペーパー供給部１１とで構成したが、これに限定されるものではなく、ロールペーパー供給部１１のみを備えたものであってもよい。すなわち、本発明は、ペーパーＰに付いたカールを矯正することを目的とするため、少なくともロールペーパー供給部１０を備えたプリンタであればよい。
【００７３】
また、上記実施形態において、カール矯正手段６を構成する矯正用搬送ローラ対６０ａ，６０ｂが二次側搬送系４１の一部（二次側搬送ローラ対）を構成し、これ以外に上流側にも二次側搬送ローラ対４１０を別途設けたが、例えば、カール矯正手段６（矯正用搬送ローラ対６０ａ，６０ｂ）を一次側搬送系４０の下流側に直接的に繋げるようにしてもよい。すなわち、カール矯正手段６（矯正用搬送ローラ対６０ａ，６０ｂ）のみで二次側搬送系４１を構成するようにしてもよい。
【００７４】
上記実施形態において、プリント処理部２とカール矯正手段６との間に切断手段５を設けたり、ペーパーバッファ部４５を設けたりしたが、これらは必要に応じて適宜設けるようにすればよい。但し、プリント処理部２でのプリント処理を鑑みれば、上記実施形態と同様に切断手段５及びペーパーバッファ部４５を設けることが好ましいことは言うまでもない。
【００７５】
上記実施形態において、プリント処理部２とカール矯正手段６との間に切断手段５を設けるとともに、ペーパーバッファ部４５についてもプリント処理部２とカール矯正手段６との間に設けるようにしたが、上記実施形態の如くペーパーバッファ部４５を設ける場合には、切断手段５はプリント処理部２とカール矯正手段６との間に設ける必要はない。すなわち、ペーパーバッファ部４５を設ければ、一次側と二次側との間で生じるペーパーＰの搬送量の差をペーパーＰの湾曲で吸収できるので、切断手段５をカール矯正手段６の下流側に設けて、長尺なペーパーＰを切断できるようにしてもよい。また、プリント処理部２とカール矯正手段６との間に切断手段５を設け、切断手段５でペーパーＰを切断してから上流側のペーパーＰに対するプリント処理を行うようにするのであれば、切断手段５によるペーパーＰの分断により、上流側のペーパーＰが下流側のペーパーＰの搬送に影響を受けることがなくなるので、この場合、ペーパーバッファ部４５は必ずしも設ける必要はない。
【図面の簡単な説明】
【００７６】
【図１】本発明の一実施形態に係るプリンタの全体概略図を示す。
【図２】同実施形態に係るプリンタ内の概略構成図を示す。
【図３】同実施形態に係るプリンタ内のカール矯正手段の制御を説明するためのタイムチャートを示す。
【符号の説明】
【００７７】
１…ペーパー供給部、２…プリント処理部、３…ペーパー排出部、４…搬送系、５…切断手段、６…カール矯正手段、１０…シートペーパー供給部、１１…ロールペーパー供給部、２０ａ，２０ｂ…プリントヘッド、４０…一次側搬送系、４１…二次側搬送系、４５…ペーパーバッファ部（記録媒体バッファ部）、５０…ドットプリント手段、６０ａ，６０ｂ…矯正用搬送ローラ対（搬送ローラ対：搬送機構）、６０ｃ…デカールローラ、６１…ガイド手段、６１ａ…第一ガイド板、６１ｂ…第二ガイド板、１００…ペーパートレー、１０１…送出機構、１１０…ロールホルダー、４００…ターンユニット、４００ａ…メインローラ、４００ｂ…サブローラ、４０１…ガイドローラ、４０２…一次側搬送ローラ対、４１０…二次側搬送ローラ対
【図１】
0004560797.tif 000002
【図２】
0004560797.tif 000003
【図３】
0004560797.tif 000004